(57)【要約】【課題】緊急警報の発令時には、その緊急警報信号を受信して、道路を移動中の人などに緊急警報を報知することができる屋外用照明装置を提供する。【解決手段】この屋外用照明装置は、屋外に設置される照明装置であり、照明光を放射して照明する照明灯６と、人体の接近を検出しその検出信号を出力する人体検出器２６と、昼と夜を判別する昼夜判別回路２１と、緊急警報信号を受信する緊急放送受信機２３と、昼夜判別回路２１が夜と判別し且つ人体検出器２６が人体の接近を検出したとき、照明灯を点灯させるように制御する制御回路２０とを備える。また、制御回路２０は、緊急放送受信機２３が緊急警報信号を受信したとき、照明灯６を通常時とは異なる状態で点灯させるように制御する。【選択図】図３
2004311067.tif 000002
【特許請求の範囲】
【請求項１】
屋外に設置される屋外用照明装置において、
照明光を放射して照明する照明灯と、
人体の接近を検出しその検出信号を出力する人感検出器と、
昼と夜を判別する昼夜判別手段と、
緊急警報信号を受信する緊急放送受信機と、
該昼夜判別手段が夜と判別し且つ人感検出器が人体の接近を検出したとき、前記照明灯を点灯させるように制御する通常時制御手段と、
前記緊急放送受信機が緊急警報信号を受信したとき、該照明灯を通常時とは異なる状態で点灯させるように制御する緊急時制御手段と、を備えたことを特徴とする屋外用照明装置。
【請求項２】
前記照明灯および緊急放送受信機の電源として、太陽光を受光可能に配設される太陽電池と、該太陽電池の起電力を蓄電する蓄電体と、が設けられたことを特徴とする請求項１記載の屋外用照明装置。
【請求項３】
ラジオ受信機が設けられ、前記緊急時制御手段は、前記緊急放送受信機が緊急警報信号を受信したとき、前記照明灯を点灯させると共に、該ラジオ受信機を受信動作させることを特徴とする請求項１記載の屋外用照明装置。
【請求項４】
前記緊急放送受信機にラジオ受信部が設けられ、該緊急放送受信機は、緊急警報信号を受信したとき、前記照明灯を点灯させると共に、該ラジオ受信部を受信動作させることを特徴とする請求項１記載の屋外用照明装置。
【請求項５】
制御函に確認用ランプが設けられ、前記緊急時制御手段は、前記緊急放送受信機の受信した緊急警報信号が試験信号であったとき、該確認用ランプを点灯させることを特徴とする請求項１記載の屋外用照明装置。
【請求項６】
前記昼夜判別手段が昼と判別し且つ人感検出器が人体の接近を検出したとき、音声案内を発生させる音声案内発生手段が設けられたことを特徴とする請求項１記載の屋外用照明装置。
【発明の詳細な説明】
【０００１】
【発明の属する技術分野】
本発明は、道路などを照明するために屋外に設置される屋外用照明装置に関し、特に緊急放送受信機を備え、緊急警報放送信号を受信した緊急警報の発令時には、通常時とは異なった特別の照明動作などを行なって緊急警報の発令を報知するようにした屋外用照明装置に関する。
【０００２】
【従来の技術】
地震や津波が発生した場合、或いはその発生の虞がある場合、ＮＨＫなどの緊急警報放送用実験局免許を得た放送局から、緊急警報信号が全国に向けて送信される。この緊急警報信号は、信号種別、地域、発生日時などの情報を含む低ビットレートのデータ信号であるが、その緊急警報信号を受信する場合には、専用の緊急放送受信機を用意し、それを常に受信可能な状態にして、待機しておく必要がある。
【０００３】
この種の緊急放送受信機としては、例えば下記特許文献１において提案されたものが、従来知られている。
【０００４】
【特許文献１】
特開平９−１６７２９３号公報
【０００５】
【発明が解決しようとする課題】
しかし、各家庭に緊急放送受信機を用意し、それを常に受信待機状態としている家庭はまだまだ少なく、しかも、外出先や訪問先或いは移動中の道路上などにおいては、緊急警報の発令を知るすべはなく、緊急警報の発令の際には、外出先或いは訪問先などで移動中の人々などに、迅速に緊急警報を知らせる手段の設置が要望されていた。
【０００６】
本発明は、上述の課題を解決するものであり、緊急警報の発令時には、その緊急警報信号を受信して、道路を移動中の人などに緊急警報を報知することができる屋外用照明装置を提供することを目的とする。
【０００７】
【課題を解決するための手段】
上記目的を達成するために、本発明の屋外用照明装置は、屋外に設置される屋外用照明装置において、照明光を放射して照明する照明灯と、人体の接近を検出しその検出信号を出力する人感検出器と、昼と夜を判別する昼夜判別手段と、緊急警報信号を受信する緊急放送受信機と、昼夜判別手段が夜と判別し且つ人感検出器が人体の接近を検出したとき、照明灯を点灯させるように制御する通常時制御手段と、緊急放送受信機が緊急警報信号を受信したとき、照明灯を通常時とは異なる状態で点灯させるように制御する緊急時制御手段と、を備えたことを特徴とする。
【０００８】
【作用】
このような構成の屋外用照明装置は、例えば横断歩道用照明装置として道路などの屋外に設置される。周囲が暗くなり昼夜判別手段が夜間と判定し、且つ人感検出器が人体の接近を検出したとき、照明灯を点灯させ、道路などを照明する。
【０００９】
一方、地震や津波が発生した場合、或いはその発生の虞がある場合、ＮＨＫなどの緊急警報放送用実験局免許を得た放送局から、緊急警報信号が全国に向けて送信される。この緊急警報信号は、照明装置に設置した緊急放送受信機により受信される。そして緊急放送受信機が緊急警報信号を受信した時には、照明灯が通常時とは異なる状態で、例えば、連続して照明灯を点灯させ、或いは照明灯を点滅動作させるように制御する。これにより、道路を移動する人など屋外にいる人でも、緊急警報が発令されたことを知ることができ、また、道路などが照明されることにより、安全に移動することができる。
【００１０】
ここで、上記屋外用照明装置においては、請求項２のように、照明灯および緊急放送受信機の電源として、太陽光を受光可能に配設される太陽電池と、太陽電池の起電力を蓄電する蓄電体と、を設けることができる。これによれば、電源としての太陽電池と充電体を備えているため、商用電源は必要なく、電源線を敷設することなく簡単に且つ安価に設置することができ、電気料金も不要となり、維持費を低減することができる。また、停電時にも本照明装置を動作させることができる。
【００１１】
また、請求項３、４のように、ラジオ受信機またはラジオ受信部を設け、緊急時制御手段は、緊急放送受信機が緊急警報信号を受信したとき、照明灯を点灯させると共に、ラジオ受信機またはラジオ受信部を受信動作させるように構成することができる。これによれば、緊急警報の発令時には、例えば、ＮＨＫなどのラジオ放送局から緊急警報に関するニュースなどが放送されるため、その緊急警報の放送を照明装置に設けたスピーカから流し、その緊急警報に関する情報を道路上の人々に報知することができる。
【００１２】
また、請求項５のように、制御函に確認用ランプを設け、緊急時制御手段は、緊急放送受信機の受信した緊急警報信号が試験信号であったとき、確認用ランプを点灯させるように構成することができる。これによれば、予め決められた緊急警報信号の試験信号の送信に合わせて、制御函の確認用ランプを確認すれば、確認用ランプの点灯により、緊急放送受信機の動作確認を容易に行うことができる。
【００１３】
さらに、請求項６のように、昼夜判別手段が昼と判別し且つ人感検出器が人体の接近を検出したとき、音声案内を発生させる音声案内発生手段を設けることができる。これによれば、昼間に横断歩道などにおいて、人が横断歩道をわたる際、例えば「左右を良く見て渡りましょう」などの音声案内を発生させることができる。
【００１４】
【発明の実施の形態】
以下、本発明の一実施形態を図面に基づいて説明する。図１は本発明を適用した横断歩道用照明装置の正面図を示し、図２はその側面図を、図３はその構成ブロック図を示している。この照明装置は、地面に立設されるパイプ状の支柱２の上部に、照明灯部３と太陽電池５を設けて、照明光を斜め下方に照射するように構成される。
【００１５】
照明灯部３は、反射器の内側中央に、例えば白熱球、各種放電灯、発光ダイオードなどの照明灯６を配設して構成され、照明灯６の向きは斜め下方に設定されている。図２に示すように、照明灯部３のケース内には、後述の制御回路２０などを有する制御ユニット７と、電気二重層コンデンサ、小形密閉式鉛蓄電池などの蓄電体２５が収納されている。さらに、照明灯部３の上部には太陽電池（太陽電池パネル）５が太陽光を受光可能に配設され、太陽電池５の上面は透明合成樹脂などの透明体でカバーされている。
【００１６】
制御ユニット７内には、図３に示すように、照明灯６を点灯するための電源となる蓄電体２５、太陽電池５の起電力を蓄電体２５に供給して充電する充電回路２２、昼夜を判別しその信号を出力する昼夜判別回路２１、照明灯６を点灯駆動する点灯回路２７、音声案内の音声データを予め記憶し必要時にそれを読み出して音声案内を発生させる音声回路３２とスピーカ３３、及び照明灯６の点灯や音声回路３２、後述の緊急放送受信機２３、ラジオ受信機３０を制御する制御回路２０が内蔵される。制御回路２０は、ＣＰＵ、ＲＯＭ、入出力回路などを備えた演算処理回路から構成することができる。また、照明灯部３の外側には、人体の接近を検出する人感検出器２６が取り付けられ、制御回路２０にその検出信号を出力するように接続されている。
【００１７】
人感検出器２６としては、人体から放射される赤外線（熱線）を受光して人体を検出する焦電式または熱線式の人感検出器、人体に対し赤外線などの光線を照射し人体からの反射光線を受光して人体を検出する光線式人感検出器、周囲に超音波を送信し人体から反射して受信された超音波の送信から受信までの時間を計測して人体の接近を検出する超音波式人感検出器などを使用することができる。
例えば、光線式人感検出器を使用する場合、赤外線の受光素子と投光素子を外側に向けて並設し、投光回路、受光回路、受光信号を検波して検出信号を出力する検出回路などから小型の検出器として構成することができる。
【００１８】
図３に示すように、太陽電池５は、充電回路２２に接続され、充電回路２２は制御回路２０に接続され、蓄電体２５が過充放電防止回路３５を介して制御回路２０に接続され、太陽電池５で発生した起電力が、充電回路２２、制御回路２０、過充放電防止回路３５を通して蓄電体２５に蓄電される。蓄電体２５には、電気二重層コンデンサ、小形密閉式鉛蓄電池など小形のものを使用することができる。
【００１９】
照明灯６の点灯回路２７はその点灯と消灯を制御する制御回路２０に接続され、さらに制御回路２０には昼夜判別回路２１が接続されている。制御回路２０は、昼夜判別回路２１が夜を判別したとき、点灯回路２７に点灯信号を送り、照明灯６を点灯させるように動作する。
【００２０】
昼夜判別回路２１は、太陽電池５の起電力を検出し、予め設定した基準電圧よりその起電圧が高い場合、昼と判断し、その起電圧が低い場合、夜と判断し、その判別信号を制御回路２０に送るように構成される。太陽電池５は太陽光を受けて発電し、その起電力を充電回路２２を通して蓄電体２５に蓄電する。夜間になると、蓄電体２５から放電される電力を点灯回路２７を通して照明灯６に供給可能とする。
【００２１】
さらに、図３に示すように、制御回路２０には緊急放送受信機２３が接続される。緊急放送受信機２３は、アンテナに接続された同調回路、局部発信回路、中間周波増幅器、検波回路、低周波増幅器、信号識別回路などから構成され、所定の周波数の緊急警報信号を受信するように構成される。緊急警報信号は地震警報のための６４０Ｈｚと津波警報のための１０２４Ｈｚの信号からなり、信号識別回路は、受信され検波して取り出した低周波信号を識別して、６４０Ｈｚ、１０２４Ｈｚの信号を検出する。
【００２２】
また、制御回路２０には、ラジオ受信機３０が接続される。ラジオ受信機３０は、アンテナに接続された同調回路、局部発信回路、中間周波増幅器、検波回路、低周波増幅器、スピーカ３１などから構成され、例えばＮＨＫなどの放送局から送信されるラジオ放送を受信するように構成される。ラジオ受信機３０は、制御回路２０によりその動作が制御され、緊急警報信号が緊急放送受信機２３によって受信され、その信号が制御回路２０に送られたとき、制御回路２０は、ラジオ受信機３０を受信動作させ、ＮＨＫなどの放送を受信してスピーカ３１から放送を流すように動作する。
【００２３】
さらに、制御回路２０には、緊急警報信号の試験信号を受信した際、その試験信号の受信を確認するために点灯される確認用ランプ２８が、点灯回路３４を介して接続される。緊急警報信号の試験信号は、緊急警報信号とは異なった周波数で送信され、その信号を緊急放送受信機２３が受信すると、試験信号の受信信号が出力され、制御回路２０は確認用ランプ２８を点灯する。その確認用ランプ２８は確認がし易いように、支柱２の中間部に取り付けられた制御函９等に設置される。
【００２４】
上記構成の横断歩道用照明装置は、支柱２の上部に取り付けられ、横断歩道の近くの道路の縁部になどに、照明灯部３の照明灯６によって横断歩道上を照明するように設置される。
【００２５】
次に、上記照明装置の動作を図４のフローチャートを参照して説明する。この横断歩道用照明装置の制御回路２０は、まず、ステップ１００で、緊急方向受信機２３が緊急警報信号を受信したか否かを判定し、緊急警報信号を受信していない通常時には、次に、ステップ１１０に進み、昼夜の判定を行なう。ここで、昼夜判別回路２１が昼の判定信号を出力している昼間には、次にステップ１２０に進み、照明灯部３上に設置した太陽電池５が太陽光を受けて発生した起電力を、充電回路２２を通して蓄電体２５に充電する。
【００２６】
そして、このような昼間の状態で、人感検出器２６が横断歩道を渡る人を検知した場合、ステップ１３０からステップ１４０に進み、制御回路２０は、音声回路３２から予め記憶されている音声データを読み出し、Ｄ／Ａ変換し音声信号の増幅を行った後、スピーカ３３を通して、例えば「左右を良く見てわたりましょう」などの音声案内を発生させる。
【００２７】
一方、夜間になって、昼夜判別回路２１が夜の判定信号を出力すると、ステップ１１０からステップ１５０に進み、人感検出器２６が人を感知して信号を出力すると、制御回路２０は、ステップ１６０で、点灯回路２７に点灯信号を出力し、点灯回路２７により照明灯６は点灯駆動される。
【００２８】
これにより、照明灯６がその照明光を横断歩道上に照射し、横断歩道が明るく照らされ、車道を走行する自動車の運転者は、横断歩道上の歩行者を容易に認識できる状態となり、歩行者が安全に横断歩道を渡ることができる。そして、照明灯６が点灯して、人が横断歩道をわたり終える所定時間が経過すると、制御回路２０は、ステップ１７０からステップ１８０に進み、照明灯６を消灯させる。
【００２９】
次に、制御回路２０は、ステップ１９０に進み、緊急警報信号の試験信号が受信されたか否かを判定する。このとき、ＮＨＫなどの緊急警報放送用実験局免許を得た放送局から、緊急警報信号の試験信号が送信された場合、緊急放送受信機２３で、この緊急警報信号の試験信号が受信される。この緊急警報信号の試験信号は、本来の緊急警報信号とは異なった周波数の搬送波で送信され、緊急放送受信機２３において、緊急警報信号とは異なった試験信号として検出され出力される。
【００３０】
このように、試験信号を受信したとき、制御回路２０は、ステップ１９０からステップ２００に進み、点灯回路３４に点灯信号を出力して確認用ランプ２８を所定時間点灯させる。したがって、照明装置の保守点検を行なう場合、予め決められた試験信号の送信時に、確認用ランプ２８の点灯を視認して試験信号の受信を確認するようにすれば、緊急放送受信機２３の動作を容易に確認することができる。
【００３１】
次に、ステップ２１０で、確認用ランプ２８の点灯を確認する点灯信号がオンしているか否かを判定し、点灯信号がオンしていないと判定した場合、つまり確認用ランプ２８が故障により点灯しない場合、次に、ステップ２４０に進み、制御回路２０はランプ不点灯信号を外部に送信する。これにより、故障などによって試験信号の確認用ランプが点灯しない場合、外部からそれを確認することができる。
【００３２】
一方、ステップ２１０で、確認用ランプ２８の点灯を確認する点灯信号がオンしていると判定した場合、次にステップ２２０に進み、試験信号の終了を示す信号が受信され、点灯終了の信号が発生したか否かを判定する。ここで、試験信号が終了し、点灯終了の信号が発生した場合、次に、ステップ２３０に進み、確認用ランプ２８を消灯し、この回の処理を終了する。
【００３３】
一方、緊急警報が発令され、ＮＨＫなどの緊急警報放送用実験局免許を得た放送局から、地震、津波などを示す緊急警報信号が送信された場合、緊急放送受信機２３でこの緊急警報信号が受信される。このとき、緊急放送受信機２３から緊急警報信号の受信を示す信号が制御回路２０に出力され、制御回路２０は、ステップ１００で、緊急警報信号を受信したと判定し、次に、ステップ２５０に進み、昼夜の別を判定する。
【００３４】
ここで、昼夜判別回路２１が夜間であると判定した場合、次にステップ２６０に進み、緊急警報時の点灯信号を点灯回路２７に出力する。これにより、点灯回路２７は照明灯６を点灯駆動する。したがって、本照明装置の近傍にいる人は、照明灯６の通常時とは異なる連続点灯を見て、緊急警報が発令されたことを認識することができる。また、歩行誘導や道先案内を良好に行なって、道路上の安全を確保することができる。
【００３５】
一方、ステップ２５０で、昼夜判別回路２１が昼間であると判別した場合、次に、ステップ２７０に進み、制御回路２０はラジオ受信機３０を受信動作させ、例えばＮＨＫなどの放送局のラジオ放送を受信させ、その放送をスピーカ３１から流すように動作する。これにより、本照明装置の近傍にいる人は、緊急時にラジオ放送から流れる緊急警報の情報を聞き、緊急警報が発令されたことなどを認識することができる。
【００３６】
そして、次にステップ２８０で、緊急警報信号の受信が停止されたか否かを判定し、緊急警報受信機２３が受信していた緊急警報信号の送信が停止した場合、次にステップ２９０に進み、緊急時の処理を終了し、夜間に点灯していた照明灯６を消灯し、昼間に受信していたラジオ受信機３０の受信動作を停止する。
【００３７】
このように、本照明装置には緊急放送受信機２３が設けられ、緊急警報の発令時の夜間には、照明灯６が連続して点灯し、外出して付近を移動する人々にはその緊急警報を容易に認識することができる。また、緊急警報の発令時には、ラジオ受信機３０によって受信されたラジオ放送の緊急警報情報を、人々が外出しているときにも認識することができる。また、緊急警報信号の試験信号を受信した際には、確認用ランプ２８が点灯するため、試験信号の受信状態を確認することができる。
【００３８】
なお、上記の実施形態では、緊急放送受信機２３とは別にラジオ受信機３０を設置したが、緊急放送受信機内にラジオ受信部を設け、緊急警報信号の受信時には、ラジオ受信部に切り替えて、つまり、受信周波数を特定のラジオ放送局に切り替えてそのラジオ放送を受信するように構成することもできる。
【００３９】
図５〜図７は他の実施形態の屋外用照明装置として、歩道などに設けられる足元灯に本発明を適用した例を示している。上記実施形態と同様な構成については、図５〜図７に上記と同じ符号を付してその説明を省略する。足元灯としての本照明装置は、図５，６に示すように、上部を斜めに折り曲げた形状の支柱４２の上部に、太陽電池５と照明灯部４３を設け、照明灯部４３から照明光を斜め下方に照射するように構成される。支柱４２の高さは比較的低く設定され、歩行者の足元を主に照らすように使用される。
【００４０】
照明灯部４３は、凹状に形成された反射板の内側中央に、複数本の発光ダイオードなどからなる照明灯４６が取り付けられて構成される。反射板と照明灯４６の向きは斜め下方に設定され、反射板の前面は透明合成樹脂などの透明体により覆われている。照明灯部４３の内部には、後述の制御ユニット３７と小型密閉式鉛蓄電池などの蓄電体２５が収納されている。さらに、照明灯部４３の上部には太陽電池５が太陽光を受光可能に配設され、太陽電池５の上面も同様の透明合成樹脂などの透明体でカバーされている。
【００４１】
制御ユニット３７内には、図７に示すように、照明灯４６を点灯するための電源となる蓄電体２５、太陽電池５の起電力を蓄電体２５に供給して充電する充電回路２２、昼夜を判別しその信号を出力する昼夜判別回路２１、照明灯４６を点灯駆動する点灯回路２７、ラジオ放送を受信するラジオ受信機３０、試験信号の受信を確認する確認用ランプ２８、及びその点灯や後述の緊急放送受信機２３を制御する制御回路２０が内蔵される。制御回路２０は、ＣＰＵ、ＲＯＭ、入出力回路などを備えた演算処理回路から構成することができる。また、照明灯部４３の外側には、人体の接近を検出する人感検出器２６が取り付けられ、制御回路２０にその検出信号を出力するように接続されている。
【００４２】
図７のように、太陽電池５は充電回路２２に接続され、充電回路２２は制御回路２０に接続される。さらに、制御回路２０には、過充放電防止回路３５を介して蓄電体２５が接続され、太陽電池５で発生した起電力が充電回路２２、過充放電防止回路３５を通して蓄電体２５に蓄電される。
【００４３】
点灯回路２７の入力側には、その点灯と消灯を制御する制御回路２０が接続され、制御回路２０には昼夜判別回路２１が接続されている。点灯回路２７の出力側には、照明灯４６が接続される。制御回路２０は、昼夜判別回路２１が夜を判別したとき、点灯回路２７に点灯信号を送り、照明灯４６を点灯させるように動作する。
【００４４】
さらに、図７に示すように、制御回路２０には緊急放送受信機２３が接続される。緊急放送受信機２３は、アンテナに接続された同調回路、局部発信回路、中間周波増幅器、検波回路、低周波増幅器、信号識別回路などから構成され、所定の周波数の緊急警報信号を受信するように構成される。緊急警報信号は地震警報のための６４０Ｈｚと津波警報のための１０２４Ｈｚの信号からなり、信号識別回路は、受信され検波して取り出した低周波信号を識別して、６４０Ｈｚ、１０２４Ｈｚの信号を検出する。
【００４５】
また、制御回路２０には、ラジオ受信機３０が接続される。ラジオ受信機３０は、アンテナに接続された同調回路、局部発信回路、中間周波増幅器、検波回路、低周波増幅器、スピーカ３１などから構成され、例えばＮＨＫなどの放送局から送信されるラジオ放送を受信するように構成される。ラジオ受信機３０は、制御回路２０によりその動作が制御され、緊急警報信号が緊急放送受信機２３によって受信され、その信号が制御回路２０に送られたとき、制御回路２０は、ラジオ受信機３０を受信動作させ、ＮＨＫなどの放送を受信してスピーカ３１から放送を流すように動作する。
【００４６】
このよう構成された足元灯としての屋外用照明装置は、歩道などの縁部に沿って設置され、昼間には、太陽電池５で発生した起電力を蓄電体２５に蓄電し、夜になると、昼夜判定回路２１が夜を検知してその信号を制御回路２０に送ると、制御回路２０は点灯回路２７に点灯信号を出力し、点灯回路２７は照明灯４６を例えば照明灯４６の発光ダイオードの１／３を点灯駆動して、最小限の照度で歩道を照明する。
【００４７】
一方、人々が歩道を往来して照明装置の付近に近づくと、人感検出器２６が人の接近を検知して検知信号を制御回路２０に出力する。このとき、制御回路２０は点灯回路２７に別の点灯信号を出力し、点灯回路２７は照明灯４６の全発光ダイオードを点灯駆動するように動作し、最大の照度で歩道を照明する。これにより、歩行者は足元が明るく照らされ、安全に歩くことができる。また、歩行者が接近したときのみ、最大限の照度で照明し、通常時は最小限の照度で照明するため、夜間に使用される電力量を最少として、太陽電池５や蓄電体２５を小型化することができる。
【００４８】
一方、緊急警報が発令され、ＮＨＫなどの緊急警報放送用実験局免許を得た放送局から、地震、津波などを示す緊急警報信号が送信された場合、緊急放送受信機２３でこの緊急警報信号が受信される。このとき、緊急放送受信機２３から緊急警報信号の受信を示す信号が制御回路２０に出力され、制御回路２０は、夜間においては、緊急警報時の点灯信号を点灯回路２７に出力する。これにより、点灯回路２７は照明灯４６の全発光ダイオードを連続して点灯駆動し、夜間には最大限の照度で歩道を照明するように動作する。これにより、本照明装置の近傍にいる人は、夜間に、照明灯４６の通常時とは異なる連続点灯を見て、緊急警報が発令されたことを認識することができる。また、緊急時の道路の照度が最大となって、歩行誘導や道先案内を良好に行なって、道路上の安全を確保することができる。
【００４９】
一方、昼間に、緊急放送受信機２３で緊急警報信号が受信され、緊急放送受信機２３から緊急警報信号の受信を示す信号が制御回路２０に出力された場合、制御回路２０は、ラジオ受信機３０を受信動作させ、例えばＮＨＫなどの放送局のラジオ放送を受信させ、その放送をスピーカ３１から流すように動作する。これにより、本照明装置の近傍にいる人は、昼間、緊急時にラジオ放送から流れる緊急警報の情報を聞き、緊急警報が発令されたことを認識することができる。
【００５０】
また、緊急放送受信機３０が緊急警報信号の試験信号を受信した際、制御回路２０は、点灯回路３４に点灯信号を出力して確認用ランプ２８を所定時間点灯させるように動作する。したがって、照明装置の保守点検を行なう場合、予め決められた試験信号の送信時に、確認用ランプ２８の点灯を視認して試験信号の受信を確認するようにすれば、緊急放送受信機２３の動作を容易に確認することができる。
【００５１】
【発明の効果】
以上説明したように、本発明の屋外用照明装置によれば、緊急警報信号を受信可能な緊急放送受信機を備え、緊急警報信号が送信された際には、その緊急放送受信機により緊急警報信号を受信し、照明灯を通常時とは異なる状態で点灯させ、例えば、連続して照明灯を点灯させ、或いは照明灯を点滅動作させるようにして、道路を移動する人など屋外にいる人に、緊急警報の発令を報知してそれを知らせることができ、またそのような緊急警報の発令時に、道路などが明るく照明されることにより、人々の移動時などの安全を確保することができる。
【図面の簡単な説明】
【図１】本発明の一実施形態を示す屋外用照明装置の正面図である。
【図２】同照明装置の右側面図である。
【図３】同照明装置の制御ユニット内の構成ブロック図である。
【図４】同照明装置の動作を示すフローチャートである。
【図５】他の実施形態の屋外用照明装置の正面図である。
【図６】同照明装置の左側面図である。
【図７】同照明装置の制御ユニット内の構成ブロック図である。
【符号の説明】
２−支柱
３−照明灯部
４−反射板
５−太陽電池
６−照明灯
７−制御ユニット
２０−制御回路
２１−昼夜判別回路
２３−緊急放送受信機
２５−蓄電体
２６−人感検出器
２７−点灯回路
【図１】
2004311067.tif 000003
【図２】
2004311067.tif 000004
【図３】
2004311067.tif 000005
【図４】
2004311067.tif 000006
【図５】
2004311067.tif 000007
【図６】
2004311067.tif 000008
【図７】
2004311067.tif 000009